(57)【要約】光ディスクに可視画像を記録する光ディスク記録システムは、識別ＩＤを生成し、生成した識別ＩＤを光ディスクに記録するとともに、光ディスクに可視画像を記録するための設定情報を識別ＩＤと対応付けてＤＢ２０７に記録する。そして、可視画像の記録が中断したときには、中断位置を含む中断情報をＤＢ２０７に記録する。可視画像の記録を再開するときは、光ディスクに記録された識別ＩＤとＤＢ２０７に記録された識別ＩＤが一致するか否かを検証し、一致した場合には、ＤＢ２０７に記録された当該識別ＩＤに対応する設定情報及び中断情報を用いて、可視画像の記録を再開する。
2007136082.tif 000002
【特許請求の範囲】
【請求項１】
光ディスクに可視画像を記録する光ディスク記録システムであって、
前記光ディスクを一意に識別可能な識別情報を生成する識別情報生成手段と、
前記識別情報生成手段で生成された識別情報を前記光ディスクの所定の位置に記録する識別情報記録手段と、
前記光ディスクに前記可視画像を記録するための設定情報を前記光ディスクの識別情報と対応付けて所定の記憶手段に記録する設定情報記録手段と、
前記光ディスクに対する可視画像の記録が中断したときには、中断位置を含む中断情報を前記光ディスクの識別情報と対応付けて前記所定の記憶手段に記録する中断情報記録手段と、
前記光ディスクに対する可視画像の記録を再開するときは、前記光ディスクの所定の位置に記録された識別情報を読み取り、読み取った識別情報と前記所定の記憶手段に記録された識別情報が一致するか否かを検証する識別情報検証手段と、
前記識別情報検証手段により識別情報が一致した場合には、前記所定の記憶手段に記録された、当該識別情報に対応する設定情報及び中断情報を用いて、前記可視画像の記録再開をする記録再開手段と、
を有することを特徴とする光ディスク記録システム。
【請求項２】
請求項１記載の光ディスク記録システムは、
前記光ディスクに対して可視画像の記録を行う光ディスク記録装置と、
前記所定の記憶手段を備え、前記光ディスク記録装置への記録制御に関する指示を行うコンピュータと、から構成され、
前記設定情報は、前記コンピュータが前記記録制御に関する指示として設定した情報を含み、
前記中断情報は、前記コンピュータが設定した中断位置に関する情報を含むことを特徴とする光ディスク記録システム。
【請求項３】
前記設定情報は、可視画像のファイル名に関する情報、可視画像の濃度に関する情報、及び可視画像の書き込み速度に関する情報のうち少なくとも一つを含むことを特徴とする請求項２記載の光ディスク記録システム。
【請求項４】
前記設定情報は、前記光ディスク記録装置が、記録当初に設定した記録条件に関する情報を含むことを特徴とする請求項２又は３記載の光ディスク記録システム。
【請求項５】
前記中断情報は、前記光ディスク記録装置が、記録中断時に取得した記録条件に関する情報を含むことを特徴とする請求項４記載の光ディスク記録システム。
【請求項６】
前記光ディスク記録システムの電源容量を検知する電源容量検知手段と、
前記電源容量検知手段が検知した電源容量が、予め定めた電源容量以下になったときには、前記光ディスクに対する可視画像の記録を中断する記録中断手段と、
を有することを特徴とする請求項１乃至５のいずれか１項に記載の光ディスク記録システム。
【請求項７】
前記識別情報は、バーコードであることを特徴とする請求項１乃至６のいずれか１項に記載の光ディスク記録システム。
【請求項８】
コンピュータから指示を受けて、光ディスクに可視画像を記録する光ディスク記録装置であって、
前記コンピュータが生成した、前記光ディスクを一意に識別可能な識別情報を前記光ディスクの所定の位置に記録する識別情報記録手段と、
記録当初に設定した記録条件に関する情報を前記コンピュータに出力する設定情報出力手段と、
前記光ディスクに対する可視画像の記録が中断したときには、記録中断時に取得した記録条件に関する情報を前記コンピュータに出力する中断情報出力手段と、
前記光ディスクに対する可視画像の記録を再開するときは、前記光ディスクの所定の位置に記録された識別情報を読み出して、前記コンピュータに出力する識別情報出力手段と、
前記コンピュータが前記光ディスクの識別情報の検証に成功した場合には、前記コンピュータからの指示に含まれる前記記録当初に設定した記録条件に関する情報及び前記記録中断時に取得した記録条件に関する情報を反映して、前記光ディスクに可視画像の記録再開をする記録再開手段と、
を有することを特徴とする光ディスク記録装置。
【請求項９】
光ディスクに対して可視画像の記録を行う光ディスク記録装置に、記録制御に関する指示を行うコンピュータが読み取り可能な光ディスク記録プログラムであって、
前記光ディスクを一意に識別可能な識別情報を生成する識別情報生成ステップと、
前記識別情報生成ステップで生成された識別情報を前記光ディスクの所定の位置に記録するように前記光ディスク記録装置に指示を出す識別情報記録ステップと、
前記光ディスクに前記可視画像を記録するための設定情報を前記光ディスクの識別情報と対応付けて所定の記憶手段に記録する設定情報記録ステップと、
前記光ディスクに対する可視画像の記録が中断したときには、中断位置を含む中断情報を前記光ディスクの識別情報と対応付けて前記所定の記憶手段に記録する中断情報記録ステップと、
前記光ディスクに対する可視画像の記録を再開するときは、前記光ディスク記録装置が読み取った前記光ディスクの識別情報と前記所定の記憶手段に記録された識別情報が一致するか否かを検証する識別情報検証ステップと、
前記識別情報検証ステップにより識別情報が一致した場合には、前記所定の記憶手段に記録された、当該識別情報に対応する設定情報及び中断情報を用いて、可視画像の記録再開をするように前記光ディスク記録装置に指示を出力する記録再開ステップと、
を前記コンピュータに実行させることを特徴とする光ディスク記録プログラム。
【発明の詳細な説明】
【技術分野】
【０００１】
本発明は、光ディスクに対してデータ記録を行う他、可視画像の記録を行うことが可能な光ディスク記録システム、光ディスク記録装置及び光ディスク記録プログラムに関する。
【背景技術】
【０００２】
ＣＤ−Ｒ（Compact Disc-Recordable）やＤＶＤ−Ｒ（Digital Versatile Disk-Recordable）などの光ディスクに対して、本来のデータ記録とは別に、文字や図柄などの可視画像を記録できる光ディスク記録装置（光ディスクドライブ装置）が提供されている。このような光ディスク記録装置は、光ディスクにレーザ光を照射して、光学的な変性を起こし、文字や図柄を可視画像として形成するようになっている（例えば、特許文献１参照）。【０００３】
【特許文献１】特開２００２−２０３３２１号公報
【発明の開示】
【発明が解決しようとする課題】
【０００４】
上述したレーベル面に対する可視画像の記録においては、記録開始から終了まで所定の時間（形成される可視画像の大きさや解像度により異なるが、数分から１時間程度）、ドライブを占有することになる。従って、可視画像を記録中に、ドライブを用いた他の作業を優先して行う場合には、動作中の可視画像の記録を中断し、一旦、光ディスクを光ディスク記録装置から取り出す必要がある。【０００５】
しかしながら、この場合、可視画像の記録を中断してしまうと、中断地点から再度、可視画像を記録し、あたかも中断がなかったかのようにすることはできないという問題がある。【０００６】
本発明は、上記の問題を解決するためになされたものであり、その課題の一例としては、可視画像の記録を一旦、中断しても、中断地点から可視画像の記録を再開することができる光ディスク記録システム、光ディスク記録装置、及び光ディスク記録プログラムを提供することにある。
【課題を解決するための手段】
【０００７】
上記の課題を達成するため、請求項１記載の光ディスク記録システムは、光ディスクに可視画像を記録する光ディスク記録システムであって、前記光ディスクを一意に識別可能な識別情報を生成する識別情報生成手段と、前記識別情報生成手段で生成された識別情報を前記光ディスクの所定の位置に記録する識別情報記録手段と、前記光ディスクに前記可視画像を記録するための設定情報を前記光ディスクの識別情報と対応付けて所定の記憶手段に記録する設定情報記録手段と、前記光ディスクに対する可視画像の記録が中断したときには、中断位置を含む中断情報を前記光ディスクの識別情報と対応付けて前記所定の記憶手段に記録する中断情報記録手段と、前記光ディスクに対する可視画像の記録を再開するときは、前記光ディスクの所定の位置に記録された識別情報を読み取り、読み取った識別情報と前記所定の記憶手段に記録された識別情報が一致するか否かを検証する識別情報検証手段と、前記識別情報検証手段により識別情報が一致した場合には、前記所定の記憶手段に記録された、当該識別情報に対応する設定情報及び中断情報を用いて、前記可視画像の記録再開をする記録再開手段と、を有することを特徴とする。【０００８】
また、請求項８記載の光ディスク記録装置は、コンピュータから指示を受けて、光ディスクに可視画像を記録する光ディスク記録装置であって、前記コンピュータが生成した、前記光ディスクを一意に識別可能な識別情報を前記光ディスクの所定の位置に記録する識別情報記録手段と、記録当初に設定した記録条件に関する情報を前記コンピュータに出力する設定情報出力手段と、前記光ディスクに対する可視画像の記録が中断したときには、記録中断時に取得した記録条件に関する情報を前記コンピュータに出力する中断情報出力手段と、前記光ディスクに対する可視画像の記録を再開するときは、前記光ディスクの所定の位置に記録された識別情報を読み出して、前記コンピュータに出力する識別情報出力手段と、前記コンピュータが前記光ディスクの識別情報の検証に成功した場合には、前記コンピュータからの指示に含まれる前記記録当初に設定した記録条件に関する情報及び前記記録中断時に取得した記録条件に関する情報を反映して、前記光ディスクに可視画像の記録再開をする記録再開手段と、を有することを特徴とする。【０００９】
また、請求項９記載の光ディスク記録プログラムは、光ディスクに対して可視画像の記録を行う光ディスク記録装置に、記録制御に関する指示を行うコンピュータが読み取り可能な光ディスク記録プログラムであって、前記光ディスクを一意に識別可能な識別情報を生成する識別情報生成ステップと、前記識別情報生成ステップで生成された識別情報を前記光ディスクの所定の位置に記録するように前記光ディスク記録装置に指示を出す識別情報記録ステップと、前記光ディスクに前記可視画像を記録するための設定情報を前記光ディスクの識別情報と対応付けて所定の記憶手段に記録する設定情報記録ステップと、前記光ディスクに対する可視画像の記録が中断したときには、中断位置を含む中断情報を前記光ディスクの識別情報と対応付けて前記所定の記憶手段に記録する中断情報記録ステップと、前記光ディスクに対する可視画像の記録を再開するときは、前記光ディスク記録装置が読み取った前記光ディスクの識別情報と前記所定の記憶手段に記録された識別情報が一致するか否かを検証する識別情報検証ステップと、前記識別情報検証ステップにより識別情報が一致した場合には、前記所定の記憶手段に記録された、当該識別情報に対応する設定情報及び中断情報を用いて、可視画像の記録再開をするように前記光ディスク記録装置に指示を出力する記録再開ステップと、を前記コンピュータに実行させることを特徴とする。
【図面の簡単な説明】
【００１０】
【図１】本発明の実施の形態に係る光ディスク記録システムの概略構成図である。
【図２】本発明の実施の形態に係る光ディスク記録システムのホストコンピュータの概略構成図である。
【図３】本発明の実施の形態に係る光ディスク記録システムのホストコンピュータのＤＢで管理されるデータ項目の一例を示す図である。
【図４】本発明の実施の形態に係る光ディスク記録システムの記録処理を示すフローチャートである。
【図５】本発明の実施の形態に係る光ディスク記録システムの中断処理を示すフローチャートである。
【図６】本発明の実施の形態に係る光ディスク記録システムの記録再開処理を示すフローチャートである。
【図７】本発明の実施の形態に係る光ディスク記録システムで形成された可視画像の一例を示す図である。
【符号の説明】
【００１１】
１  光ディスク記録装置
２  ホストコンピュータ
３  光ディスク
１０  光ディスク記録システム
１０１  ＬＤ
１０２  温度センサ
１０３  アクチュエータ
１０４  トラバースメカ
１０５  ピックアップサーボ
１１０  スピンドルモータ
１１１  回転センサ
１１２  回転サーボ
１２０  制御部
１２１  データエンコーダ
１２２  記録パルス発生回路
１３０，２０４  Ｉ／Ｆ
２０１  ＣＰＵ
２０２  操作部
２０３  表示部
２０５  ＨＤＤ
２０６  ＲＡＭ
２０７  ＤＢ
【発明を実施するための最良の形態】
【００１２】
以下、本発明の実施の形態を図面を用いて説明する。【００１３】
図１は、本発明の実施の形態に係る光ディスク記録システム１０の概略構成を示す図である。図１に示す光ディスク記録システム１０は、光ディスク記録装置１と、ホストコンピュータ２とから構成され、光ディスク３にレーザ光を照射して、可視画像を記録する機能を備えている。ここで、可視画像とは、通常のデータ記録に用いられるデータとは異なり、視覚的に見ることができる文字や記号や絵等をいう。本実施の形態では、データ記録に用いられるデータ面とは反対側のレーベル面に可視画像を形成するものとして、以下、説明する。【００１４】
光ディスク記録装置１は、インターフェース（以下、Ｉ／Ｆと称す）１３０を介してホストコンピュータ２と接続されており、ホストコンピュータ２の指示によって、光ディスク３に対してデータ記録及び可視画像の記録を行うようになっている。光ディスク記録装置１は、光ディスク３に対してデータ記録及び再生が可能であるとともに、可視画像の記録が可能な光ディスクドライブ装置であり、例えば、具体的には、ＤＶＤ（Digital Versatile Disk）記録ドライブ装置、ＣＤ（Compact Disc）記録ドライブ装置等が想定される。また、ホストコンピュータ２は、例えば、具体的には、パーソナルコンピュータ（以下、パソコンという）等が想定される。本実施の形態では、光ディスク記録装置１とホストコンピュータ２とを別筐体として光ディスク記録システム１０を構成しているが、光ディスク記録装置１とホストコンピュータ２とを物理的に一体化した装置として構成してもよい（例えば、ドライブ内蔵型パソコン、ＤＶＤレコーダー等）。【００１５】
以下、光ディスク記録装置１の構成について説明する。【００１６】
光ディスク３は、レーベル面を下向きにしてターンテーブル（図示略）上に載置され、スピンドルモータ１１０により回転駆動される。この光ディスク３は、データ記録及び可視画像の記録が可能な光ディスクである。【００１７】
回転サーボ１１２は、回転センサ１１１からスピンドルモータ１１０の回転数を受け取り、スピンドルモータ１１０に対する回転制御を行う。可視画像を記録する際には、制御部１２０から指示された所定の回転数でスピンドルモータ１１０を制御する。【００１８】
トラバースメカ１０４上に載置された光ピックアップ１００は、光ディスクの径方向に移動自在に支持され、回転する光ディスク３に対してレーザ光を照射する。詳しくは、光ピックアップ１００は、レーザ光を出射するレーザダイオード（ＬＤ）１０１、光ピックアップ１００近傍の温度を検出する温度センサ１０２を備える。また、ＬＤ１０１から出射されたレーザ光を光ディスク３上に集光させる対物レンズ（図示せず）は、アクチェータ１０３に保持され、アクチェータ１０３によってフォーカス方向及びトラッキング方向に移動可能である。ピックアップサーボ１０５は、光ピックアップ１００に対するトラッキング制御及びフォーカス制御を行う。【００１９】
データエンコーダ１２１は、ホストコンピュータ２から出力された記録データ（通常のデータ及び可視画像のデータ）を変調して記録パルス発生回路１２２に出力する。記録パルス発生回路１２２は、変調された記録データのパルス信号を生成し、光ピックアップ１００に供給する。【００２０】
制御部１２０は、ＣＰＵ、ＲＯＭ及びＲＡＭ等から構成され、ＲＯＭ等に格納されたプログラムに従って、光ディスク記録装置１００の装置各部を制御し、光ディスク３に対するデータ記録処理、及び光ディスク３に対する可視画像記録処理を制御するようになっている。【００２１】
次に、ホストコンピュータの構成について説明する。【００２２】
図２は、ホストコンピュータ２の概略構成を示す図である。ホストコンピュータ２は、図２に示すように、ＣＰＵ２０１、操作部２０２、表示部２０３、インターフェース（以下、Ｉ／Ｆと称す）２０４、ハードディスクドライブ(以下、ＨＤＤと称す）２０５、ＲＡＭ２０６、及びデータベース（以下、ＤＢと称す）２０７を具備する構成である。【００２３】
ＣＰＵ２０１は、装置各部の制御や、データの伝送、種々の演算、データの一時的な格納等を行う。操作部２０２は、数字や文字、操作指示などを入力するための複数のキーを備え、これらのキー操作に応じた操作信号を制御部２０１に出力する。表示部２０３は、液晶表示パネルやＣＲＴディスプレイなどの情報を表示する表示媒体と、この表示媒体の表示制御を行う駆動回路を有する。Ｉ／Ｆ２０４は、ホストコンピュータ２と光ディスク記録装置１との間で行われる通信を制御する。【００２４】
ＨＤＤ２０５は、ＣＰＵ２０１により実行される各種プログラムや、各種データなどを格納している。例えば、本実施の形態では、可視画像を光ディスク３に形成するためのプログラム（以下、アプリケーションという）が格納されている。このアプリケーションは、フラッシュメモリ、ＣＤ−ＲＯＭ、ＭＯ、ＤＶＤ−ＲＯＭなどのコンピュータが読み取り可能な記録媒体に記録することも、通信ネットワークを介して配信することも可能である。【００２５】
ＲＡＭ２０６は、ＣＰＵ２０１のワークエリアとして用いられ、ＣＰＵ２０１により実行されるプログラムや各種のデータを一時的に格納する。【００２６】
ＤＢ２０７は、光ディスク３に可視画像を記録する際の各種設定情報を記憶するデータベースである。このデータベースは実際にはＣＰＵ２０１で実行されるプログラムにより、ＨＤＤ２０５や、ＲＡＭ２０６の一部を使って構成されることが多いが、説明を簡単にするため、独立したＤＢ２０７として図示する。この各種設定情報は、可視画像の記録を一旦、中断した場合に、再度、中断地点から記録の再開を可能とするための情報である。図３は、ＤＢ２０７に記憶されるデータの一構成を示している。ＤＢ２０７は、図３に示すように、光ディスク３ごと、すなわち、光ディスク３を一意に識別可能なディスク識別番号（以下、識別ＩＤという）ごとに設定情報を管理しており、具体的には、データ管理情報ｄ１０、アプリケーション設定情報ｄ２０、ドライブ識別情報ｄ３０、ドライブが記録当初に決定した調整値ｄ４０、中断時のドライブ状態を示す情報ｄ５０を備えている。【００２７】
データ管理情報ｄ１０は、ＤＢ２０７のデータを管理するための情報であり、上述した識別ＩＤが含まれる。ここで、識別ＩＤの生成は、どのような方法でもよく、一例としては、記録操作日時とアプリケーションのシリアル番号と乱数を繋げて生成してもよい。また、この識別ＩＤは、後述するように、光ディスク３それぞれを識別可能とするため、光ディスク３の所定の位置に記録されるようになっており、本実施の形態では、バーコード形式で記録される。レーベル面への記録の場合には、データ記録面への記録の場合と異なり、トラック情報がないため、精度よく記録位置を判別できないので、データとして所定の幅を有するバーコードとしたものである。これにより、記録位置が多少ずれても、識別ＩＤの書き込み及び読み取り処理に支障をきたさないようになっている。また、識別ＩＤが記録される光ディスク３上の位置は特に限定されず、光ピックアップ１００が動作可能な位置であれば、どこでもあってもよい。【００２８】
なお、識別情報埋め込み形式とは、識別ＩＤをどのような表示態様で光ディスク３上に記録したかを示す情報であり、本実施の形態では、バーコード形式を示す情報となっている。表示態様は、勿論、バーコード形式以外でもよく、例えば、描画される可視画像のパターンによっては、可視画像のデザインの一部として取り入れ、ユーザに識別ＩＤの存在を意識させないようにすることも可能である。【００２９】
アプリケーション設定情報ｄ２０は、可視画像を光ディスク３に記録する際に、ユーザがアプリケーション上で指示する設定情報であり、光ディスク記録装置１は、概略この情報に基づいて、可視画像を形成する。例えば、可視画像の濃度に関する情報、可視画像の画像ファイルに関する情報（ファイルパス名）、書き込み速度などである。また、中断位置は、ユーザがアプリケーション上で可視画像の記録中断を指示したときに、アプリケーションが決定した中断位置である。ユーザがアプリケーション上で可視画像の記録再開を指示したときには、光ディスク記録装置１は、この中断位置から記録を再開する。【００３０】
ドライブ識別情報ｄ３０は、光ディスク記録装置１のドライブを識別するための情報である。ドライブ識別情報ｄ３０を判別することで、可視画像の記録中断の前後におけるドライブの同一性が担保される。【００３１】
ドライブが記録当初に決定した調整値ｄ４０及び中断時のドライブ状態を示す情報ｄ５０は、光ディスク記録装置１が可視画像を記録する際に、ドライブ内部で実際に採用された各種記録条件である。これは、光ディスク記録装置１は、常にアプリケーションで設定された設定値そのままを使うわけではなく、ドライブ内の状況に応じて若干の調整を加えるので（例えば、具体的には、光ピックアップ１００の周囲温度が非常に高いときは、回路保護のため、記録時のパワーを周囲温度が十分低いときのパワーよりも低めに抑えたりする）、このような内部動作の変更をＤＢ２０７に反映するものである。すなわち、上述したアプリケーション設定情報ｄ２０だけでも、中断後の可視画像の形成は可能であるが、実際にはアプリケーション設定情報ｄ２０とは若干異なった設定で可視画像を記録していくので、中断前後の可視画像の画質を精緻なレベルで同一とするために当該項目を設定したものである。ここで、ドライブが記録当初に決定した調整値ｄ４０及び中断時のドライブ状態を示す情報ｄ５０は、光ディスク記録装置１の温度センサ１０２、ピックアップサーボ１０５及び回転サーボ１１２等を介して取得した各種記録条件である。【００３２】
なお、ドライブが記録当初に決定した調整値ｄ４０及び中断時のドライブ状態を示す情報ｄ５０は、図３に示すような各項目に分類されている必要はなく、光ディスク記録装置１が認識可能なデータ一群としてＤＢ２０７に格納されていればよい。また、図３に示すドライブが記録当初に決定した調整値ｄ４０及び中断時のドライブ状態を示す情報ｄ５０の項目は、代表的な項目を一部列挙したものであり、光ディスク記録装置１がドライブ内部で設定した他の各種記録条件を含むようにしてもよい。【００３３】
ドライブが記録当初に決定した調整値ｄ４０は、アプリケーション設定情報ｄ３０に対する調整値であり、実際に、光ディスク記録装置１が可視画像の記録を開始した際に、ドライブ内部で実際に採用された各種記録条件である。例えば、濃度調整設定、アクチュエータ感度設定値、トラバース送り基準位置、トラバース送り量、偏芯成分などである。【００３４】
中断時のドライブ状態を示す情報ｄ５は、ドライブが記録当初に決定した調整値ｄ４０と同様に、アプリケーション設定情報ｄ３０に対する調整値であり、光ディスク記録装置１が可視画像の記録を中断した際に、ドライブ内部で実際に採用された各種記録条件である。すなわち、記録当初と中断時では、記録条件が異なる項目（例えば、中断時のドライブ内の温度や当該温度に対する各種補正量など）があるので、このような項目に関しては、中断時に記録条件を取得するようにしたものである。例えば、フォーカス目標値、温度、チルト調整位置、チルト調整位置、光学補正素子補正値、出射パワーである。【００３５】
このように、本実施の形態では、記録媒体である光ディスク３の同一性を判断するための識別ＩＤ、中断が発生したときの中断位置、及び光ディスク３に可視画像を記録する際の各種設定情報をＤＢ２０７に保持しているので、記録中断があったとしても、ＤＢ２０７を参照することにより、中断前後の可視画像の画質の同一性を担保するとともに、中断前の可視画像と連続性をもって中断後の可視画像を形成することができる。【００３６】
次に、図４及乃至図６を用いて、本実施の形態に係る光ディスク記録システム１０の動作について説明する。ここで、図４は、光ディスク記録システム１０がユーザから可視画像の記録開始指示を受けたときの記録処理を示すフローチャートであり、図５は、光ディスク記録システム１０に可視画像の記録中断が発生したときの中断処理のフローチャートであり、図６は、光ディスク記録システム１０がユーザから可視画像の記録再開指示を受けたときの記録再開処理を示すフローチャートである。尚、４乃至図６に示す処理は、ホストコンピュータ２のＣＰＵ２０１によって行われる処理フローを示している。【００３７】
まず、図４を参照して、記録処理について説明する。【００３８】
ユーザは事前に、アプリケーション上で、光ディスク３に記録したい可視画像の編集を行って、光ディスク３に記録する可視画像を決定しておく。なお、この可視画像の画像データは、ホストコンピュータ２上に保存される。【００３９】
次に、ユーザは可視画像を記録したい光ディスク３を光ディスク記録装置１に挿入する。これにより、光ディスク記録システム１０では、識別ＩＤが光ディスク３に記録されているか否かを判定し、識別ＩＤが光ディスク３に記録されていないときは、ホストコンピュータ２は、挿入された光ディスク３に対して識別ＩＤを生成する（ステップＳ１０，Ｓ２０）。【００４０】
次に、ホストコンピュータ２は、生成した識別ＩＤを光ディスク３の所定の位置に記録するように、光ディスク記録装置１に指示を出力する（ステップＳ３０）。これにより、光ディスク記録装置１は、生成された識別ＩＤを光ディスク３に書き込むためのパワーを決定し、生成された識別ＩＤを光ディスク３の所定の位置にバーコードとして記録する。ここで、識別ＩＤを光ディスク３に記録したときは、光ディスク記録装置１は、識別ＩＤが正しく光ディスク３上に記録されたことの検証として、光ディスク３に記録された識別ＩＤを識別できるかどうか、すなわち、読み込めるかどうかを検証し、読み込めないときは、再度、別の位置に識別ＩＤを記録するようにしてもよい。【００４１】
次に、ホストコンピュータ２は、光ディスク３に可視画像を記録する際の各種設定情報を、生成した識別ＩＤに対応付けてＤＢ２０７に記録する（ステップＳ４０）。この設定情報は、詳しくは、上述したデータベース管理情報ｄ１０及びアプリケーション設定情報ｄ２０である。すなわち、アプリケーションで設定した各種情報をＤＢ２０７に記録する。【００４２】
次に、ホストコンピュータ２は、光ディスク記録装置１に対して、可視画像の記録を開始するように指示を出力する（ステップＳ５０）。これにより、光ディスク記録装置１は、アプリケーションで設定された設定情報に基づいて、可視画像の記録を開始する。この際、光ディスク記録装置１は、アプリケーションで設定された設定情報そのままではなく、ドライブ内で調整した値を基に可視画像を記録するので、この調整値をコンピュータ２に出力する。この調整値を受け取ったコンピュータ２は、この調整値をドライブが当初決定した調整値ｄ４０として、ＤＢ２０７に記録する（ステップＳ６０）。【００４３】
次に、ホストコンピュータ２は、可視画像の記録に中断が発生したか否かを判定し、可視画像の記録に中断が発生したときは、中断処理を行う（ステップＳ７０）。例えば、ユーザがアプリケーション上で記録処理の中止を指示した場合には、中断が発生する。なお、中断処理に関しては、詳しくは後述する。一方、可視画像の記録中に中断がないときは、可視画像の記録が終了したか否かを判定し、可視画像の記録が終了したときは、可視画像を記録するための各種設定情報は不要となるので、ＤＢ２０７に記録された各種設定情報を削除する（ステップＳ９０）。【００４４】
一方、ステップＳ１０で、識別ＩＤが光ディスク３に記録されているときは、記録中断中であるか否かを判定する（ステップＳ１１０）。記録中断中であるか否かの判定は、上述したように可視画像の記録が終了すると、ＤＢ２０７から設定情報は削除されるので、ＤＢ２０７に該当する識別ＩＤの設定情報が存在するか否かで判断するものである。記録中断中であるときは、後述する記録再開処理を行い、記録中断中でないとき、すなわち、可視画像が記録された光ディスク３に新たに可視画像を追加して記録したいときは、上述したステップＳ４０から処理を行う。【００４５】
なお、可視画像の記録が終了したときに、ＤＢ２０７に記録された各種設定情報を削除するかわりに、ＤＢ２０７の各種設定情報として、識別ＩＤに対応するディスクが記録中断状態にあるかどうかの状態情報を追加し、この情報のみを書換えてもよい。ディスク内容のリストを可視画像として示す場合のように、後から画像が追加される可能性が高い場合には特に有効な手法となる。【００４６】
次に、図５を参照して、中断処理について説明する。【００４７】
ユーザがアプリケーション上で記録処理の中止を指示すると、ホストコンピュータ２は、可視画像の記録を中断する中断位置を決定する（ステップＳ２１０）。なお、中断位置は、中止指示が発生した時点における記録位置に限定されず、ホストコンピュータ２は、中断に適した中断位置を判断し、決定するようにしてもよい。例えば、同心円状に可視画像を記録しているのであれば、単位円が終了するところ、記録パルスに対して何らかの変調をかけているのであれば、変調が所定の基本状態に戻るところなど、中断指示が発生した時点から区切りのよい地点で記録を中止してもよい。【００４８】
次に、ホストコンピュータ２は、決定した中止位置をＤＢ２０７に記録する（ステップＳ２２０）。すなわち、決定した中断位置を、アプリケーション設定情報ｄ２０の中断位置に記録する。【００４９】
次に、ホストコンピュータ２は、決定した中断位置で可視画像の記録を中断するように光ディスク記録装置１に指示を出力する（ステップＳ２３０）。これにより、光ディスク記録装置１は、指示された中断位置で可視画像の記録中断を行う。この際、光ディスク記録装置１は、中断時のドライブ内の状態に関する情報をホストコンピュータ２に出力する。【００５０】
中断時のドライブ内の状態に関する情報を受け取ったホストコンピュータ２は、この中断時のドライブ内の状態に関する情報を中断時のドライブ状態を示す情報ｄ５０として、ＤＢ２０７に登録する（ステップＳ２４０）。【００５１】
図７（ａ）及び（ｂ）は、光ディスク３のレーベル面に形成された可視画像の一例を示している。図７（ａ）は、可視画像の記録を中断したときの可視画像、図７（ｂ）は、可視画像の記録が終了したときの可視画像である。このように、可視画像の記録を途中で中断した場合には、所望の可視画像の一部だけが描画された光ディスク３を得ることになる。【００５２】
次に、図６を参照して、記録再開処理について説明する。【００５３】
ユーザは、可視画像の記録を再開したい光ディスク３（例えば、具体的には、図７（ａ）のような状態の光ディスク３）を光ディスク記録装置１内に挿入し、アプリケーション上で記録再開を指示する。これにより、ホストコンピュータ２は、光ディスク記録装置１が読み取った識別ＩＤがＤＢ２０７に存在するか否かを判定する（ステップＳ３１０）。これは、中断前に光ディスク記録装置１内に挿入された光ディスク３と、中断後に光ディスク記録装置１内に挿入された光ディスク３が同じディスク（中断中のディスク）であるか否かを判断するものである。識別ＩＤがＤＢ２０７に存在するとき、すなわち、中断前後の光ディスク３の同一性が確かめられて、記録中断中であるときは、当該識別ＩＤに対応する可視画像の画像ファイルが存在するか否かを判定する（ステップＳ３２０）。【００５４】
識別ＩＤに対応する画像ファイルが存在するとき、すなわち、中断中であって、記録したい可視画像の画像ファイルが存在するときは、可視画像の記録再開が可能なので、ホストコンピュータ２は、当該識別ＩＤに対応した各種設定情報をＤＢ２０７から取得して、設定する（ステップＳ３３０）。詳しくは、アプリケーション設定情報ｄ２０は、アプリケーション側で設定され、ドライブが当初設定した調整値ｄ４０及び中断時のドライブ状態を示す情報ｄ５０は、ホストコンピュータ２から光ディスク記録装置１に出力され、光ディスク記録装置１側で設定される。【００５５】
なお、可視画像の記録再開が可能な場合には、記録再開される光ディスク３を確認する確認画面（識別ＩＤや記録される可視画像のイメージなど）を表示し、ユーザが確認後に、記録再開をするようにしてもよい。これにより、光ディスク３を間違えることなく、可視画像の記録再開をすることができる。【００５６】
次に、ホストコンピュータ２は、光ディスク記録装置１に対して、中断位置から可視画像の記録再開を指示する（ステップＳ３４０）。これにより、光ディスク記録装置１は、上述した各種設定情報に基づいて、可視画像の記録を再開する。なお、光ディスク記録装置１は、受け取った中断時のドライブ状態を示す情報ｄ５０をそのまま使わない可能性がある。例えば、温度補正に関連した設定に関しては、中断時と再開時で大きく温度が違う場合、中断時の設定をそのまま引き継ぐと、却って、画質の連続性を損なうことになるので、このような場合には、中断時と現在の温度差を考慮して、設定値に補正をするようにしてもよい。また、中断時に対して現在の温度は低いが、記録開始に伴い消費電力が上がり、すぐに中断時の温度に近づくことが予想される場合には、光ディスク３に影響を及ぼさない位置でパワーを出力し、温度を上げて中断時と同一温度にしてしまうという方法もある。【００５７】
次に、ホストコンピュータ２は、可視画像の記録中に中断が発生したか否かを判定し、可視画像の記録中に中断が発生したときは、上述した中断処理を行う（ステップＳ３５０）。一方、可視画像の記録中に中断がないときは、可視画像の記録が終了したか否かを判定し、可視画像の記録が終了したときは、可視画像を記録するための各種設定情報は不要となるので、ＤＢ２０７に記録された各種設定情報を削除する（ステップＳ３６０，Ｓ３７０）。【００５８】
なお、ステップＳ３１０で、光ディスク記録装置１が読み取った識別ＩＤがＤＢ２０７に存在しないとき、又はステップＳ３２０で、ディスク記録装置１が読み取った識別ＩＤに対応する画像ファイルがないときは、いずれも可視画像の記録再開ができないので、ユーザにその旨を提示して、記録再開処理を終了する。【００５９】
以上から、本実施の形態に係る光ディスク記録システム１０によれば、記録媒体である光ディスク３の識別情報、可視画像を記録する際の設定情報、及び中断位置に関する情報をＤＢ２０７で一元的に管理しているので、記録動作の連続性を確保することができる。この結果、可視画像の記録を一旦、中断しても、中断地点から可視画像の記録を再開することができる。【００６０】
また、可視画像を記録する際の設定情報としては、アプリケーション側での設定情報の他、ドライブ側の設定情報も備えているので、中断前後において同一の画質で可視画像を記録することができる。【００６１】
以上、本発明の実施の形態及び実施例について説明してきたが、本発明の要旨を逸脱しない範囲において、本発明の実施の形態及び実施例に対して種々の変形や変更を施すことができる。【００６２】
例えば、上記実施の形態では、可視画像の記録が実際に中断した場合に本発明を適用したが、事前に中断事由を検知して、強制的に記録の中断を行う光ディスク記録システムとしてもよい。例えば、光ディスク記録システムの電源容量が低下して、可視画像の記録終了までに電源が持たないと判断したときは、事前に可視画像の記録を自動的に中止するような機能を取り入れた光ディスク記録システムとしてもよい。詳しくは、可視画像の記録中に光ディスク記録システムの電源容量が予め定めた閾値よりも低くなった場合には、自動的に可視画像の記録を中断し、後刻、電源容量が回復したときに、再度、可視画像の記録を再開するものである。このような機能を備えることにより、例えば、携行可能な光ディスク記録システムが外出先において、可視画像を記録開始後に電源容量が低下した状態になったとしても、電源容量がなくなる前に自動的に記録動作を中断してくれるので、後に十分な電源容量を蓄えたときに記録動作の再開を行うことができる。【００６３】
また、上記実施の形態においては、レーベル面に可視画像を記録する場合について説明したが、データ面に可視画像を記録するようにしてもよい。この場合には、レーベル面と異なり、正確な記録位置情報を取得可能なので、識別ＩＤはバーコード以外の表示態様でもよく、通常のデータ記録と同様のデータ形式で識別ＩＤを記録するようにしてもよい。【００６４】
また、上記実施形態では、可視画像を記録するための各種設定情報をホストコンピュータ２のＤＢ２０７に記録したが、各種設定情報を記録する記録媒体はホストコンピュータ２内に限定されるものではない。例えば、ドライブ側で設定した情報、すなわち、ドライブが記録当初に決定した調整値ｄ４０及び中断時のドライブ状態を示す情報ｄ５０を、光ディスク記録装置１内の所定の記録媒体に記録するようにしてもよい。また、ＤＢ２０７で管理された各種設定情報すべてを光ディスク３上に書き込むようにしてもよい。【００６５】
さらには、上記実施の形態においては、光ディスクに可視画像を記録する場合について説明したが、光ディスクに通常のデータを記録する場合に本発明を適用してもよいのは勿論である。つまり、通常のデータ記録の途中で中断が発生しても、中断地点からデータ記録を再開することができる光ディスク記録システムとしてもよい。【００６６】
以上説明したように、本発明の一実施形態の光ディスク記録システムは、光ディスクに可視画像を記録する光ディスク記録システムであって、前記光ディスクを一意に識別可能な識別情報を生成する識別情報生成手段と、前記識別情報生成手段で生成された識別情報を前記光ディスクの所定の位置に記録する識別情報記録手段と、前記光ディスクに前記可視画像を記録するための設定情報を前記光ディスクの識別情報と対応付けて所定の記憶手段に記録する設定情報記録手段と、前記光ディスクに対する可視画像の記録が中断したときには、中断位置を含む中断情報を前記光ディスクの識別情報と対応付けて前記所定の記憶手段に記録する中断情報記録手段と、  前記光ディスクに対する可視画像の記録を再開するときは、前記光ディスクの所定の位置に記録された識別情報を読み取り、読み取った識別情報と前記所定の記憶手段に記録された識別情報が一致するか否かを検証する識別情報検証手段と、前記識別情報検証手段により識別情報が一致した場合には、前記所定の記憶手段に記録された、当該識別情報に対応する設定情報及び中断情報を用いて、前記可視画像の記録再開をする記録再開手段と、を有するので、可視画像の記録を一旦、中断しても、中断地点から可視画像の記録を再開することができる。
【図１】
2007136082.tif 000003
【図２】
2007136082.tif 000004
【図３】
2007136082.tif 000005
【図４】
2007136082.tif 000006
【図５】
2007136082.tif 000007
【図６】
2007136082.tif 000008
【図７】
2007136082.tif 000009
【国際調査報告】
2007136082.tif 000010
2007136082.tif 000011
2007136082.tif 000012
2007136082.tif 000013